(57)【要約】      （修正有）【課題】体力トレーニングの為の健康器具、自転車、あるいは受付事務、調理作業に使うことが出来る立ち作業椅子の高さ調整を、簡素に実施出来るようにする。【解決手段】クランプレバー１４を開放させた位置では、ガスバネ６は最大長であり、この位置で利用者が、体重をかけることにより、その体重の１／２程度の反発力を持つ、ガスバネ６は圧縮され、サドル１は下降する。利用者の爪先に力を加えることによって、どの位置でも下降を止められる。クランプレバー１４を締付ける。すなわち、昇降クランプピース１９の中央に位置する、スプライン軸１２を強く締付け、サドル１の高さを固定する。以上の如く構成し、昇降を可能とした。【選択図】図１
2016165988.tif 000002
【特許請求の範囲】
（イ）サドル（１）の下側の支持棒（２）に曲げ加工を施して、締付け金具（３）を付ける。
（ロ）通しボルト（４）を使用し固定金具（５）へ、取り付ける。（図２）
（ハ）固定金具（５）の前方位置の通し穴にスプライン軸（１２）の上端部を、差し込んで、だき締構造の切割部（２１）をボルト、ナット（１３）により、締付固定する（図３）
（ニ）固定金具（５）の後面に、ガスバネ（６）の上側の部分をスタットボルト（７）とブッシュ（８）、Ｅ型止メ輪（９）で組付ける。（図５）
同様にガスバネ（６）の下側は組付け支柱（１０）の外周側面の取付け座（１１）へ、止める。
（ホ）スプライン軸（１２）は組付け支柱（１０）の端面へ、丸フランジナット（１８）とストレートナット（１９）を組合せた状態で、フランジ締付けボルト（１７）により、取り付ける。
（ヘ）昇降クランプピース（２０）は中央へスプライン軸（１２）を通した状態で、丸フランジナットのフランジ部（２３）上面に重ねた位置へ通しボルト（２１）により組付ける。このねじの締付部は、組付け支柱（１０）の端面であるが、締付け時の軸方向のスキマを防ぐ為ワッシャー（２２）を使用する。（図６）
（ト）クランプレバー（１４）の開放位置では、ガスバネ（６）は最大長であり、サドル（１）を下降させておいて、クランプレバー（１４）を締めることにより、サドル（１）のレベル調整が、出来る。
【発明の詳細な説明】
【発明の詳細な説明】
【技術分野】
【３１０１】この発明は、体力トレーニングの為の健康器具、自転車、あるいは受付事務、調理作業に使うことが出来る立ち作業椅子（図９）の高さ調整を、簡素に実施出来る発明である。
【背景技術】
【３１０２】  従来の構造では、サドルの高さ調整は、整備に準じた行動で実施出来るが、利用中（運転中）の調整は不可能である。
【発明が解決しようとする課題】
【３１０３】  従来のサドルの高さは、ペタルに回転力をつたえる事よりも、爪先の着地位置から身長に合わした高さに決められているであろう。
この発明の昇降サドルは道路の路肩、坂道、等の状況や、対面する歩行者への配慮により、走行中であっても、任意の高さに調整することが可能であり、高い安全性を保つ発明である。
【課題を解決する為の手段】
【３１０４】いまその構成を説明する。
（イ）サドル（１）は締付金具（３）、通しボルト（４）を介して、固定金具（５）へ組付ける。（図２）
（ロ）固定金具前方位置にスプライン軸（１２）の上端部を、差し込んでボルト、ナット（１３）で締付固定する。（図３）
（ハ）固定金具（５）の後面にスタッドボルト（７）、ブッシュ（８）、Ｅ型止メ輪（９）によってガスバネ（６）を組み付ける。（図５）
（ニ）ガスバネ（６）の下側は、組付け支柱（１０）外周側面の取付座（１１）へ止める。（図１）
（ホ）スプライン軸（１２）は昇降クランプピース（２０）、丸フランジナット（１８）、ストレートナット（１９）を重ねた状態で下方からフランジ締付ボルト（１７）次に、通しボルト（２１）をねじ込んで昇降クランプピース（２０）を締付ける。
（ヘ）クランプレバーねじ部（１５）は、球面座金（１６）を利用し昇降クランプピース（２０）の側面へねじ込む。（図４）
（ト）通しボルト（２１）の頭部は、軸方向のすきまを適正に保つ為、ワッシャー（２２）を使用している。（図６）
【発明実施の形態】
【３１０５】クランプレバー（１４）を開放させた位置では、ガスバネ（６）は最大長であり、この位置で利用者が、体重をかけることにより、その体重の１／２程度の反発力を持つ、ガスバネ（６）は圧縮され、サドル（１）は下降する。
利用者の爪先に力を加えることによって、どの位置でも下降を止められる。
クランプレバー（１４）を締付ける。すなわち、昇降クランプピース（１９）の中央に位置する、フプライン軸（１２）を強く締付け、サドル（１）の高さを固定する。以上の如く構成し、昇降を可能にしたる、発明である。
【発明の効果】
【３１０６】本発明の回転レス昇降サドルを装着している、健康器具、立ち作業に使える椅子（図９）、自転車等の利用者は、身長、履物によって、行わなければならない、サドルの高さ調整を、瞬時に行うことが、出来る。
調整後のクランプレバー（１４）の、締付不良によって、発生するトラブルは、スプライン軸（１２）のスリップ言い変れば、サドル（１）の落下が、考えられるが、ガスバネ（６）の反発力により落下時の衝撃を、低く、おさえられ、安全性にすくれた機能を有する。
【図面の簡単な説明】
【図１】全体図
【図２】サドル取付部分
【図３】固定金具とスプライン軸部分
【図４】昇降クランプピースとクランプレバー部分
【図５】固定金具とガスバネ部分
【図６】丸フランジナットとスプライン軸部分
【図７】本発明の回転レス、昇降サドルを装着したる、自転車
【図８】本発明の回転レス、昇降サドルを装着したる健康器具
【図９】本発明の回転レス、昇降サドルを装着したる、立ち作業補助椅子。
【符号の説明】１、はサドル
２、は支持棒
３、は締付け金具
４、は通しボルト
５、は固定金具
６、はガスバネ
７、はスタッドボルト
８、はブッシュ
９、はＥ型止め輪
１０、は組付け支柱
１１、は、取付け座
１２、は、スプライン軸
１３、は、ボルト、ナット
１４、は、クランプレバー
１５、は  クランプレバーねじ部
１６、は、球面座金
１７、は、フランジ締付ボルト
１８、は丸フランジナット
１９、は、ストレートナット
２０、は昇降クランプピース
２１、は、切割部
２２、は、ワッシャー
２３、は丸フランジナットのフランジ部
２４、は、車輪付、Ｔ字形ベース。
【図１】
2016165988.tif 000003
【図２】
2016165988.tif 000004
【図３】
2016165988.tif 000005
【図４】
2016165988.tif 000006
【図５】
2016165988.tif 000007
【図６】
2016165988.tif 000008
【図７】
2016165988.tif 000009
【図８】
2016165988.tif 000010
【図９】
2016165988.tif 000011
【手続補正書】
【提出日】平成27年6月9日(2015.6.9)
【手続補正１】
【補正対象書類名】特許請求の範囲
【補正対象項目名】全文
【補正方法】変更
【補正の内容】
【特許請求の範囲】
【請求項１】
（イ）サドル（１）の下側の支持棒（２）に曲げ加工を施して締付け金具（３）を付ける、
（ロ）通しボルト（４）を使用し、固定金具（５）へ取り付ける（図２）
（ハ）固定金具（５）の前方位置の通し穴にスプライン軸（１２）の上端部を、差し込んで、だき締構造の切割部（２１）をボルト、ナット（１３）により、締付固定する（図３）
（ニ）固定金具（５）の後面に、ガスバネ（６）の上側の部分をスタットボルト（７）とブッシュ（８）、Ｅ型止メ輪（９）で組付ける（図５）
同様にガスバネ（６）の下側は組付け支柱（１０）の外周側面の取付け座（１１）へ止める。
（ホ）スプライン軸（１２）は組付け支柱（１０）の端面へ丸フランジナット（１８）とストレートナット（１９）を組合せた状態で、フランジ締付けボルト（１７）により、取り付ける。
（ヘ）昇降クランプピース（２０）は、中央へスプライン軸（１２）を通した状態で、丸フランジナットのフランジ部（２３）上面に重ねた位置へ、通しボルト（２１）により組付ける、このねじの締付部は、組付け支柱（１０）の端面であるが、締付け時の軸方向のスキマを防ぐ為、ワッシャー（２２）を使用する。（図６）
（ト）クランプレバー（１４）の開放位置では、ガスバネ（６）は最大長でありサドル（１）を下降させておいて、クランプレバー（１４）を締めることにより、サドル（１）のレバー調整が、出来る。